(57)【要約】【課題】  分解し易くかつ損傷し難く、水漏れを確実に防止できる組み立て式簡易浴槽、組み立て式簡易浴槽用枠体、及び組み立て式簡易貯液槽を提供する。【解決手段】  この組み立て式簡易浴槽は、凸状部１２を有する嵌合部が外周上面に設けられた第１の枠体１０と、第１の枠体の嵌合部と嵌合しかつ分離可能な凹状部２１を有する嵌合部が外周下面に設けられた第２の枠体２０と、両嵌合部が嵌合することで固定される防水シート９と、を備え、第１の枠体が外周上面の外周縁に面取り部１３を備え、凸状部１２と凹状部２１とが嵌合した状態から第１の枠体と第２の枠体を、一辺側を支点として他辺側を持ち上げるようにして分離するとき、凸状部と凹状部が相対移動しながら互いに干渉しないように構成した。【選択図】  図９
2006061333.tif 000002
【特許請求の範囲】
【請求項１】
嵌合部が外周上面に設けられた第１の枠体と、前記第１の枠体の嵌合部と嵌合しかつ分離可能な嵌合部が外周下面に設けらた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易浴槽であって、
前記第１の枠体が前記外周上面の外周縁に面取り部を備えることを特徴とする組み立て式簡易浴槽。
【請求項２】
前記第１の枠体及び前記第２の枠体の平面全体が矩形状に構成され、前記第１の枠体の外周上面の少なくとも一辺の外周縁に前記面取り部を備えることを特徴とする請求項１に記載の組み立て式簡易浴槽。
【請求項３】
前記面取り部のある一辺の外周縁に対向する他辺の外周縁に面取り部を備えることを特徴とする請求項２に記載の組み立て式簡易浴槽。
【請求項４】
その外周上面に設けられた嵌合部を備えて組み立て式簡易浴槽を構成可能な枠体であって、
前記枠体の嵌合部と嵌合部材とが分離可能な嵌合構造により嵌合したとき、前記枠体と前記嵌合部材との間に配置された防水シートが前記嵌合構造により固定され前記枠体と一体になって浴槽部を構成可能であり、
前記外周上面の外周縁に面取り部を備えることを特徴とする組み立て式簡易浴槽用枠体。
【請求項５】
凸状部を有する嵌合部が外周上面に設けられた第１の枠体と、前記第１の枠体の嵌合部と嵌合しかつ分離可能な凹状部を有する嵌合部が外周下面に設けられた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易浴槽であって、
前記第１の枠体の凸状部と前記第２の枠体の凹状部とが嵌合した状態から前記第１の枠体と前記第２の枠体を、一辺側を支点として他辺側を持ち上げるようにして分離するとき、前記凸状部と前記凹状部が相対移動しながら互いに干渉しないように構成されていることを特徴とする組み立て式簡易浴槽。
【請求項６】
前記支点を中心にして前記第２の枠体の前記支点側の凹状部が描く最大径の軌道円を前記凸状部が遮らないように前記凸状部及び／又は前記凹状部の各形状を構成したことを特徴とする請求項５に記載の組み立て式簡易浴槽。
【請求項７】
前記支点を中心にして前記第１の枠体の前記支点側の凸状部が描く最大径の軌道円に対し前記凹状部が遮らないように前記凹状部の形状を構成したことを特徴とする請求項５に記載の組み立て式簡易浴槽。
【請求項８】
前記支点を中心にして前記第２の枠体の前記支点側の凹状部が描く最大径の軌道円に沿うような形状を前記凸状部が有することを特徴とする請求項７に記載の組み立て式簡易浴槽。
【請求項９】
前記第１の枠体の嵌合部と前記第２の枠体の嵌合部との嵌合を補助する嵌合補助部が前記第１の枠体及び前記第２の枠体の少なくとも一方に係脱自在に設けられていることを特徴とする請求項５乃至８のいずれか１項に記載の組み立て式簡易浴槽。
【請求項１０】
前記凸状部と前記凹状部とが嵌合したときの凹凸嵌合部に隙間が形成されるように構成されていることを特徴とする請求項５乃至９のいずれか１項に記載の組み立て式簡易浴槽。
【請求項１１】
前記第１の枠体及び前記第２の枠体の少なくとも一方の前記嵌合部の弾力性が比較的少ないことを特徴とする請求項５乃至１０のいずれか１項に記載の組み立て式簡易浴槽。
【請求項１２】
前記弾力性が比較的少ない嵌合部は、その表面部分がコーティング処理されているか、樹脂と一体に形成されているか、フィルム部材で覆われているか、または嵌め込み部材で覆われていることを特徴とする請求項１１に記載の組み立て式簡易浴槽。
【請求項１３】
請求項５乃至１２のいずれか１項に記載の組み立て式簡易浴槽における前記第１の枠体及び前記第２の枠体が同一の枠体形状を有し、その枠体形状を有することを特徴とする組み立て式簡易浴槽用枠体。
【請求項１４】
凸状部を有する嵌合部が外周上面に設けられた第１の枠体と、前記第１の枠体の嵌合部と嵌合しかつ分離可能な凹状部を有する嵌合部が外周下面に設けられた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易浴槽であって、
前記第１の枠体の凸状部と前記第２の枠体の凹状部とを嵌合したときに嵌合部が形成され、前記嵌合部に空気溜め部が形成されるように前記凸状部と前記凹状部を構成したことを特徴とする組み立て式簡易浴槽。
【請求項１５】
前記嵌合部に前記空気溜め部として部分的に隙間が形成されるように前記第１の枠体の凸状部と前記第２の枠体の凹状部を構成したことを特徴とする請求項１４に記載の組み立て式簡易浴槽。
【請求項１６】
前記第１の枠体の凸状部及び前記第２の枠体の凹状部の少なくとも一方の表面に比較的小さな凹部を形成し前記空気溜め部としたことを特徴とする請求項１４または１５に記載の組み立て式簡易浴槽。
【請求項１７】
請求項１４，１５または１６に記載の組み立て式簡易浴槽における前記第１の枠体及び前記第２の枠体が同一の枠体形状を有し、その枠体形状を有することを特徴とする組み立て式簡易浴槽用枠体。
【請求項１８】
嵌合部が外周上面に設けられた第１の枠体と、前記第１の枠体の嵌合部と嵌合しかつ分離可能な嵌合部が外周下面に設けらた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易貯液槽であって、
前記第１の枠体が前記外周上面の外周縁に面取り部を備えることを特徴とする組み立て式簡易貯液槽。
【請求項１９】
凸状部を有する嵌合部が外周上面に設けられた第１の枠体と、前記第１の枠体の嵌合部と嵌合しかつ分離可能な凹状部を有する嵌合部が外周下面に設けられた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易貯液槽であって、
前記第１の枠体の凸状部と前記第２の枠体の凹状部とが嵌合した状態から前記第１の枠体と前記第２の枠体を、一辺側を支点として他辺側を持ち上げるようにして分離するとき、前記凸状部と前記凹状部が相対移動しながら干渉しないように構成されていることを特徴とする組み立て式簡易貯液槽。
【発明の詳細な説明】
【技術分野】
【０００１】
本発明は、防水シートを枠体で固定して浴槽部を構成する組み立て式簡易浴槽、組み立て式簡易浴槽用枠体、及び組み立て式簡易貯液槽に関するものである。
【背景技術】
【０００２】
本発明者は先に下記特許文献１において介護の必要な人の入浴等に好適な組み立て式簡易浴槽を提案した。この簡易浴槽は、図２４（ａ），（ｂ），（ｃ）のように、防水シート３３’と枠体３２’と枠体３１’とで構成され、枠体３１’はその外周上面３１ａに凸状の嵌合部３５’と、その外周下面３１ｂに凹状の嵌合部３６’とを備え、また、枠体３２’はその外周上面３２ａに凸状の嵌合部３７’と、その外周下面３２ｂに凹状の嵌合部３８’とを備え、枠体３１’、３２’は同じ形状、同じ大きさで構成されている。防水シート３３’の周囲を枠体３２’の外周上面３２ａを覆うように位置決め、枠体３２’の凸状の嵌合部３７’と枠体３１’の凹状の嵌合部３６’とが嵌合することで、防水シート３３’の周囲を枠体３２’の嵌合部３７’と枠体３１’の嵌合部３６’との間に挟み込み、固定する。この嵌合部３６’と嵌合部３７’との嵌合により、防水シート３３’は枠体３２’に強固に固定されることで、防水シート３３’と枠体３１’、３２’が一体に組み立てられ浴槽が形成される。
【０００３】
上述の組み立て式簡易浴槽は、例えば、介護サービス者が被介護者の自宅を訪れて行う入浴サービス等に用いて好適である。しかし、枠体３１’、３２’は、使用前に組み立て、使用後に分解することが繰り返して行われるので、分解し易くかつ損傷し難いことが必要であり、また、使用中の水漏れを確実に防止することが必要である。
【特許文献１】特開２００３−１０２７８号公報
【発明の開示】
【発明が解決しようとする課題】
【０００４】
本発明は、上述のような従来技術の問題に鑑み、分解し易くかつ損傷し難く、水漏れを確実に防止できる組み立て式簡易浴槽、組み立て式簡易浴槽用枠体、及び組み立て式簡易貯液槽を提供することを目的とする。
【課題を解決するための手段】
【０００５】
上記目的を達成するために、本発明による組み立て式簡易浴槽は、嵌合部が外周上面に設けられた第１の枠体と、前記第１の枠体の嵌合部と嵌合しかつ分離可能な嵌合部が外周下面に設けらた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易浴槽であって、前記第１の枠体が前記外周上面の外周縁に面取り部を備えることを特徴とする。
【０００６】
この組み立て式簡易浴槽によれば、第１の枠体の上に第２の枠体が重ねられて嵌合している状態から両枠体を分離するとき、第１の枠体と第２の枠体との間に位置する第１の枠体の面取り部から指を掛けて力を作用させることができるので、浴槽を簡単に分解することができる。
【０００７】
上記組み立て式簡易浴槽において前記第１の枠体及び前記第２の枠体の平面全体が矩形状に構成され、前記第１の枠体の外周上面の少なくとも一辺の外周縁に前記面取り部を備えることが好ましい。
【０００８】
また、前記面取り部のある一辺の外周縁に対向する他辺の外周縁に面取り部を備えることで、両枠体を分離するとき、一辺側の面取り部を支点にして他辺側の面取り部から力を作用させて他辺側を持ち上げることができ、面取り部を支点に回転するようにして分離できるので、作業が安定するとともに、面取り部のない状態では角部と角部とが支点になるので角部が損傷し易かったのに対し、枠体が損傷し難くなる。また、面取り部は枠体の外周縁全周に設けてもよい。
【０００９】
なお、前記第１の枠体の外周上面に設けられた嵌合部が凸状であり、前記第２の枠体外周下面に設けられた嵌合部が凹状であり、前記第１の枠体及び前記第２の枠体が同一の枠体形状から構成されていることが好ましい。
【００１０】
本発明による組み立て式簡易浴槽用枠体は、その外周上面に設けられた嵌合部を備えて組み立て式簡易浴槽を構成可能な枠体であって、前記枠体の嵌合部と嵌合部材とが分離可能な嵌合構造により嵌合したとき、前記枠体と前記嵌合部材との間に配置された防水シートが前記嵌合構造により固定され前記枠体と一体になって浴槽部を構成可能であり、前記外周上面の外周縁に面取り部を備えることを特徴とする。
【００１１】
この組み立て式簡易浴槽用枠体によれば、組み立て式簡易浴槽を組み立て、枠体の上に嵌合部材が重ねられて嵌合している状態から両者を分離するとき、枠体と嵌合部材との間に位置する枠体の面取り部から指を掛けて力を作用させることができるので、浴槽を簡単に分解することができる。
【００１２】
なお、上記組み立て式簡易浴槽用枠体において前記枠体の平面全体が矩形状に構成され、前記外周上面の少なくとも一辺の外周縁に前記面取り部を備えることが好ましい。また、前記面取り部のある一辺の外周縁に対向する他辺の外周縁に面取り部を備えることで、枠体を分離するとき、一辺側の面取り部を支点にして他辺側の面取り部から力を作用させて他辺側を持ち上げることができ、面取り部を支点に回転するように分離できるので、作業が安定するとともに、面取り部のない状態では角部と角部とが支点になるので角部が損傷し易かったのに対し、枠体が損傷し難くなる。また、面取り部は枠体の外周縁全周に設けてもよい。
【００１３】
本発明による別の組み立て式簡易浴槽は、凸状部を有する嵌合部が外周上面に設けられた第１の枠体と、前記第１の枠体の嵌合部と嵌合しかつ分離可能な凹状部を有する嵌合部が外周下面に設けられた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易浴槽であって、前記第１の枠体の凸状部と前記第２の枠体の凹状部とが嵌合した状態から前記第１の枠体と前記第２の枠体を、一辺側を支点として他辺側を持ち上げるようにして分離するとき、前記凸状部と前記凹状部が相対移動しながら互いに干渉しないように構成されていることを特徴とする。
【００１４】
この組み立て式簡易浴槽によれば、嵌合状態の第１の枠体と第２の枠体を分離するとき、一辺側を支点として他辺側を持ち上げるようにして分解できるが、このとき、凸状部と凹状部が相対移動しながら互いに干渉しないので、分解し易くかつ枠体が損傷し難い。なお、上述のように、第１の枠体の外周上面の外周縁に面取り部を設け、この面取り部の内側部分が一辺側の支点となり好ましい。
【００１５】
また、前記支点を中心にして前記第２の枠体の前記支点側の凹状部が描く最大径の軌道円を前記凸状部が遮らないように前記凸状部及び前記凹状部の少なくとも一方の形状を構成することで、分離のとき、互いに干渉せず、分解し易くかつ枠体が損傷し難くなる。
【００１６】
また、前記支点を中心にして前記第１の枠体の前記支点側の凸状部が描く最大径の軌道円に対し前記凹状部が遮らないように前記凹状部の形状を構成することで、分離のとき、互いに干渉せず、分解し易くかつ枠体が損傷し難くなる。この場合、前記支点を中心にして前記第２の枠体の前記支点側の凹状部が描く最大径の軌道円に沿うような形状を前記凸状部が有することで、凸状部と凹状部が密着して嵌合できるとともに、分離のとき、互いに干渉せず、分解し易くかつ枠体が損傷し難くなる。
【００１７】
また、前記第１の枠体の嵌合部と前記第２の枠体の嵌合部との嵌合を補助する嵌合補助部が前記第１の枠体及び前記第２の枠体の少なくとも一方に係脱自在に設けられていることが好ましい。これにより、防水シートが嵌合部と嵌合補助部とで一層外れ難くなり水漏れを確実に防止でき、また、枠体の分解及び防水シートの取り外しも容易である。
【００１８】
また、前記凸状部と前記凹状部とが嵌合したときの凹凸嵌合部に隙間が形成されるように構成されることで、分離のとき、互いに干渉せず、分解し易くかつ枠体が損傷し難くなるとともに、防止シートのはめしろを確保できる。また、凹凸嵌合部に防止シートを挟んだ状態で隙間が存在しても、浴槽内に水を入れると、防止シートが主として凸状部に係止され、防止シートが固定される。
【００１９】
また、前記第１の枠体及び前記第２の枠体の少なくとも一方の前記嵌合部の弾力性が比較的少ない場合でも、分解し易くかつ枠体が損傷し難くなる。
【００２０】
また、前記弾力性が比較的少ない嵌合部は、その表面部分がコーティング処理されている場合、樹脂と一体に形成されている場合、フィルム部材で覆われている場合、または嵌め込み部材で覆われている場合であり、枠体の耐久性が向上する。
【００２１】
本発明による別の組み立て式簡易浴槽用枠体は、上述の別の組み立て式簡易浴槽における前記第１の枠体及び前記第２の枠体が同一の枠体形状を有し、その枠体形状を有することを特徴とする。
【００２２】
この組み立て式簡易浴槽用枠体によれば、組み立て式簡易浴槽を組み立て、嵌合状態の第１の枠体と第２の枠体を分離するとき、一辺側を支点として他辺側を持ち上げるようにして分解できるが、このとき、凸状部と凹状部が相対移動しながら互いに干渉しないので、分解し易くかつ枠体が損傷し難い。
【００２３】
本発明による更に別の組み立て式簡易浴槽は、凸状部を有する嵌合部が外周上面に設けられた第１の枠体と、前記第１の枠体の嵌合部と嵌合しかつ分離可能な凹状部を有する嵌合部が外周下面に設けられた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易浴槽であって、前記第１の枠体の凸状部と前記第２の枠体の凹状部とを嵌合したときに嵌合部が形成され、前記嵌合部に空気溜め部が形成されるように前記凸状部と前記凹状部を構成したことを特徴とする。
【００２４】
この組み立て式簡易浴槽によれば、嵌合部に空気溜め部を密閉して形成できるので、使用時に防水シートを嵌合部で嵌合し固定したとき、空気溜め部で水の漏出を遮断することができ、水漏れを確実に防止できる。
【００２５】
前記嵌合部に前記空気溜め部として部分的に隙間が形成されるように前記第１の枠体の凸状部と前記第２の枠体の凹状部を構成することができる。また、前記第１の枠体の凸状部及び前記第２の枠体の凹状部の少なくとも一方の表面に比較的小さな凹部を形成し前記空気溜め部とするようにしてもよい。
【００２６】
本発明による更に別の組み立て式簡易浴槽用枠体は、上述の更に別の組み立て式簡易浴槽における前記第１の枠体及び前記第２の枠体が同一の枠体形状を有し、その枠体形状を有することを特徴とする。
【００２７】
この組み立て式簡易浴槽用枠体によれば、組み立て式簡易浴槽を組み立て、嵌合部に空気溜め部を密閉して形成できるので、使用時に防水シートを嵌合部で嵌合し固定したとき、空気溜め部で水の漏出を遮断することができ、水漏れを確実に防止できる。
【００２８】
本発明による組み立て式簡易貯液槽は、嵌合部が外周上面に設けられた第１の枠体と、前記第１の枠体の嵌合部と嵌合しかつ分離可能な嵌合部が外周下面に設けらた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易貯液槽であって、前記第１の枠体が前記外周上面の外周縁に面取り部を備えることを特徴とする。
【００２９】
この組み立て式簡易貯液槽によれば、第１の枠体の上に第２の枠体が重ねられて嵌合している状態から両枠体を分離するとき、第１の枠体と第２の枠体との間に位置する第１の枠体の面取り部から指を掛けて力を加えることができるので、貯液槽を簡単に分解することができる。
【００３０】
本発明による組み立て式簡易貯液槽用枠体は、その外周上面に設けられた嵌合部を備えて組み立て式簡易貯液槽を構成可能な枠体であって、前記枠体の嵌合部と嵌合部材とが分離可能な嵌合構造により嵌合したとき、前記枠体と前記嵌合部材との間に配置された防水シートが前記嵌合構造により固定され前記枠体と一体になって貯液可能な貯液部を構成可能であり、前記外周上面の外周縁に面取り部を備えることを特徴とする。この組み立て式簡易貯液槽用枠体によれば、組み立て式簡易貯液槽を組み立て、第１の枠体の上に第２の枠体が重ねられて嵌合している状態から両枠体を分離するとき、第１の枠体と第２の枠体との間に位置する第１の枠体の面取り部から指を掛けて力を作用させることができるので、浴槽を簡単に分解することができる。
【００３１】
本発明による別の組み立て式簡易貯液槽は、凸状部を有する嵌合部が外周上面に設けられた第１の枠体と、前記第１の枠体の嵌合部と嵌合しかつ分離可能な凹状部を有する嵌合部が外周下面に設けられた第２の枠体と、前記第１の枠体全体を覆うように前記第１の枠体と前記第２の枠体との間に配置され、前記第１の枠体の外周上面の嵌合部と前記第２の枠体の外周下面の嵌合部とが嵌合することで固定される防水シートと、を備える組み立て式簡易貯液槽であって、前記第１の枠体の凸状部と前記第２の枠体の凹状部とが嵌合した状態から前記第１の枠体と前記第２の枠体を、一辺側を支点として他辺側を持ち上げるようにして分離するとき、前記凸状部と前記凹状部が相対移動しながら互いに干渉しないように構成されていることを特徴とする。
【００３２】
この組み立て式簡易貯液槽によれば、嵌合状態の第１の枠体と第２の枠体を分離するとき、一辺側を支点として他辺側を持ち上げるようにして分解できるが、このとき、凸状部と凹状部が相対移動しながら互いに干渉しないので、分解し易くかつ枠体が損傷し難い。
【００３３】
本発明による別の組み立て式簡易貯液槽用枠体は、上述の別の組み立て式簡易貯液槽における前記第１の枠体及び前記第２の枠体が同一の枠体形状を有し、その枠体形状を有することを特徴とする。この組み立て式簡易貯液槽用枠体によれば、組み立て式簡易貯液槽を組み立て、嵌合状態の第１の枠体と第２の枠体を分離するとき、一辺側を支点として他辺側を持ち上げるようにして分解できるが、このとき、凸状部と凹状部が相対移動しながら互いに干渉しないので、分解し易くかつ枠体が損傷し難い。
【発明の効果】
【００３４】
本発明によれば、分解し易くかつ損傷し難く、水漏れを確実に防止できる組み立て式簡易浴槽、組み立て式簡易浴槽用枠体、及び組み立て式簡易貯液槽を提供できる。
【発明を実施するための最良の形態】
【００３５】
以下、本発明を実施するための最良の形態について図面を用いて説明する。
【００３６】
〈第１の実施の形態〉
【００３７】
図１は第１の実施の形態による組み立て式簡易浴槽を示す斜視図（ａ）、側面図（ｂ）、図１（ａ）、（ｂ）の簡易浴槽の嵌合部を分解して示す要部分解断面図（ｃ）、及び図１（ａ）、（ｂ）の簡易浴槽の端部を示す要部側面図（ｄ）である。図２は図１の簡易浴槽を分解するときの嵌合部の様子を示す要部側面図である。図３は従来の簡易浴槽を分解するときの嵌合部の様子を示す要部側面図である。
【００３８】
図１（ａ）〜（ｄ）に示すように、組み立て式簡易浴槽１は、外周下面に凹状部１１と外周上面に凸状部１２が設けられた第１の枠体１０と、外周下面に凹状部２１と外周上面に凸状部２２が設けられ第１の枠体１０の上に重ねられた第２の枠体２０と、第１の枠体１０を覆うようにして配置されて第１の枠体１０と第２の枠体２０との間で凸状部１２と凹状部２１による凹凸嵌合により固定された防水シート９と、を備える。
【００３９】
図１（ａ）〜（ｄ）のように、第１の枠体１０と第２の枠体２０との間に位置し固定された防水シート９と上部の第２の枠体２０の内側とによりお湯を溜めることのできる浴槽部が構成される。また、図１（ａ）のように、第１の枠体１０及び第２の枠体２０は、全体として略長方形状に構成され、その四隅は円弧状に構成されている。
【００４０】
図１（ａ）〜（ｄ）のように、第１の枠体１０の凸状部１２の設けられた外周上面の外周縁に面取り部１３が全周にわたって設けられている。面取り部１３は、図３のような角部Ｄを略４５度に面取りをしたものであり、簡易浴槽１の外周面に露出し、特に第１の枠体１０と第２の枠体２０を分解するときに、面取り部１３から指を掛けて力を加え易いようになっている。
【００４１】
なお、第１の枠体１０と第２の枠体２０は、同一形状であり、第２の枠体２０にも同様の面取り部２３が形成されており、例えば、発泡ポリスチレン樹脂、発泡ポリウレタン樹脂、ポリエチレン発泡樹脂、ポリプロピレン発泡樹脂等の発泡樹脂から同一の成形金型で一体に成形できる。
【００４２】
また、防水シート９として、例えば、ポリエチレン樹脂、ポリプロピレン樹脂、ポリオレフィン樹脂、ポリ塩化ビニル樹脂、フッ素含有重合体樹脂、エチレン−酢酸ビニル共重合体樹脂、ポリエステル樹脂、ポリアミド樹脂、シリコン樹脂、ポリウレタン樹脂、ポリアクリル樹脂などの素材をフィルム状にしたものを使用できる。
【００４３】
簡易浴槽１の使用後に、図１（ａ）〜（ｄ）のように凸状部１２と凹状部２１により凹凸嵌合した状態の第１の枠体１０と第２の枠体２０を分離するとき、図１（ｄ）の第１の枠体１０と第２の枠体２０との間に位置する一辺側の面取り部１３から指を掛けて他辺側を支点として第２の枠体２０を上方に持ち上げるようにして力を作用させることで、図２のように、第２の枠体２０を第１の枠体１０に対し面取り部１３の内側を支点１３ａとして回動させることにより分離し分解することができる。
【００４４】
上述の持ち上げから回動の間に、図２のように、第２の枠体２０は、その下面で第１の枠体１０の面取り部１３の内側を支点１３ａとして力が作用するので、力が安定して作用し回動がスムースに行われ、簡易浴槽１を簡単に分解することができる。図３のように、両枠体の角部ＤとＤ’が回動のときの支点となると、回動が安定せず、更に角部ＤとＤ’が当接するので、分離のときに角部Ｄ、Ｄ’が損傷し易くなるのに対し、図２のように面取り部１３を設けることで、上下の枠体１０と２０が角と面で接することになるため、分解作業を安定して行うことができ、枠体１０と２０の外周における破損を回避でき、枠体１０、２０を繰り返して使用できる。
【００４５】
〈第２の実施の形態〉
【００４６】
第２の実施の形態は、図１，図２の簡易浴槽が凹凸嵌合部で分解し易くかつ損傷し難くなるようにした構成である。図４は第２の実施の形態による組み立て式簡易浴槽の嵌合部の第１の例を示す要部断面図である。図５は第２の実施の形態による組み立て式簡易浴槽の嵌合部の第２の例を示す要部断面図である。図６は第２の実施の形態による組み立て式簡易浴槽の嵌合部の第３の例を示す要部断面図（ａ）及びその変形例を示す要部断面図（ｂ）である。図７は図１，図２の簡易浴槽を分解するときの様子を示す側面図である。図８は図７の嵌合部を示す要部側面図である。
【００４７】
図７，図８のように、図１，図２の上下に嵌合した第１及び第２の枠体１０，２０から上側の第２の枠体２０を取り外すために、第２の枠体２０の一辺側を他辺側を支点として持ち上げて下側の第１の枠体１０から嵌合を外すとき、第２の枠体２０が第１の枠体１０の面取り部１３の内側を支点１３ａとして、てこのように回動する。この回動のとき、支点１３ａから距離ａの第２の枠体２０の凹状部２１の縁が力の作用点１として働き、支点１３ａを中心とする半径ａの円ｃを軌道として移動すると、第１の枠体１０の凸状部１２が作用点１の軌道を部分的に遮る位置関係にあるので、凹状部２１が凸状部１２に当たり干渉してしまい、それ以上、第２の枠体２０を持ち上げることができなくなり、分離の妨げになる。無理に第２の枠体２０を回動させようとすると、凹状部２１と凸状部１２との当接部分が損傷してしまう。
【００４８】
なお、第１及び第２の枠体１０，２０の支点１３ａから遠い他辺部分の作用点２でも同様の問題が生じ得るが、支点１３ａからの距離が長いので、作用点１よりも損傷のおそれは少ない。
【００４９】
上述の問題を回避するために、第２の実施の形態の第１の例は、図４のように、凹状部１１，２１を略半円形の凹状に構成し、凸状部１２，２２を略半円形の凸状に構成している。
【００５０】
また、第２の例は、図５のように、凹状部１１，２１を略正三角形の凹状に構成し、凸状部１２，２２を略正三角形の凸状に構成している。
【００５１】
図４，図５によれば、支点１３ａを中心とし凹状部２１の縁までの距離ａを半径とする円ｃの軌道に対し第１の枠体１０の凸状部１２がいずれの部分でも接触しないので、第１の枠体１０から第２の枠体２０を分離させるとき、凹状部２１が凸状部１２に当たらずに干渉することがなく、第１の枠体１０に対し第２の枠体２０を持ち上げることができる。このため、両枠体１０，２０を容易に分離でき、凹状部２１と凸状部１２の凹凸嵌合部が損傷することはない。
【００５２】
図４，図５では、凹凸嵌合構造を形成する凹状部と凸状部の平面形状を略半円形、略正三角形としたが、その平面形状は、長円形状、他の多角形等の他の形状であってもよい。
【００５３】
また、第３の例は、図６（ａ）のように、凹状部１１，２１及び凸状部１２，２２を、支点１３ａを中心とし凹状部２１の縁までの距離ａを半径とする円ｃに沿うような形状に構成している。即ち、凹状部１１，２１及び凸状部１２，２２は円ｃの一部である円弧部ｂを有する。
【００５４】
図６（ａ）によれば、凹状部２１が凸状部１２に対し円ｃの円弧部ｂに沿って回動するので、凸状部１２が凹状部２１の回動を回動の始めから円弧部ｂの範囲で妨げない。このため、第１の枠体１０から第２の枠体２０を分離させるとき、凹状部２１が凸状部１２に当たらずに干渉することがなく、第１の枠体１０に対し第２の枠体２０を持ち上げることができる。このため、両枠体１０，２０を容易に分離でき、凹状部２１と凸状部１２の凹凸嵌合部が損傷することはない。
【００５５】
また、第３の例における凹状部１１，２１は、図６（ｂ）に示す変形例のように、凸状部１２，２２のような円弧部を有せずに、長円形状としてもよい。図６（ｂ）においても凸状部１２が凹状部２１の回動を回動の始めから図のハッチングで示す範囲で妨げない。このため、第１の枠体１０から第２の枠体２０を分離させるとき、凹状部２１が凸状部１２に当たらずに干渉することがなく、第１の枠体１０に対し第２の枠体２０を持ち上げることができる。このため、両枠体１０，２０を容易に分離でき、凹状部２１と凸状部１２の凹凸嵌合部が損傷することはない。
【００５６】
〈第３の実施の形態〉
【００５７】
第３の実施の形態は、第２の実施の形態と同様に図１，図２の簡易浴槽が凹凸嵌合部で分解し易くかつ損傷し難くなるようにした構成である。図９は第３の実施の形態による組み立て式簡易浴槽の嵌合部の第１の例を示す要部断面図である。図１０は第３の実施の形態による組み立て式簡易浴槽の嵌合部の第２の例を示す要部断面図である。図１１は第３の実施の形態による組み立て式簡易浴槽の嵌合部の第３の例を示す要部断面図である。図１２は第３の実施の形態による組み立て式簡易浴槽の嵌合部の第４の例を示す要部断面図である。図２３は第３の実施の形態による組み立て式簡易浴槽の嵌合部の第５の例を示す要部断面図である。
【００５８】
第３の実施の形態の第１の例は、図９のように、第１の枠体１０の凸状部１２が略長円形状であり、支点１３ａに近い側の凸状部１２（図７の作用点１）が第１の枠体１０の面取り部１３の支点１３ａを中心として相対的に回動するときに描く最大径の円ｄに対し第２の枠体２０の凹状部２１が遮らないように凹状部２１の形状を変えたものである。
【００５９】
凹状部２１の一部は、支点１３ａから凸状部１２の縁までの距離ａに対し更に距離をｘだけ大きくした距離（ａ＋ｘ）を半径とした円ｄに沿うような形状となっている。即ち、凹状部１１，２１は円ｄの一部である円弧部ｅを有する。
【００６０】
図９によれば、凹状部２１は、円ｄの円弧部ｅを有して回動するので、凸状部１２の最も凹状部２１に接近する部分に当たらずに、凹状部２１の回動を妨げない。このため、第１の枠体１０から第２の枠体２０を分離させるとき、凹状部２１が凸状部１２に干渉することがなく、第１の枠体１０に対し第２の枠体２０を持ち上げることができる。このため、両枠体１０，２０を容易に分離でき、凹状部２１と凸状部１２の凹凸嵌合部が損傷することはない。
【００６１】
第２の例は、図１０のように、第１の枠体１０の凸状部１２は略五角形状であり、その先端側が略三角形状であるが、凸状部１２が第１の枠体１０の面取り部１３の支点１３ａを中心として相対的に回動するときに描く最大径の円ｄに対し第２の枠体２０の凹状部２１が遮らないように、凹状部２１の形状を略五角形状の凸状部１２に対応した形状から変えたものである。凹状部１１，２１の一部は、同様に、凸状部１２の縁までの距離ａに対し更に距離をｘだけ大きくした距離（ａ＋ｘ）を半径とした円ｄに沿うような形状である円弧部ｅ（円ｄの一部）を有する。
【００６２】
第３の例は、図１１のように、第１の枠体１０の凸状部１２は略矩形状であり、凸状部１２が第１の枠体１０の面取り部１３の支点１３ａを中心として相対的に回動するときに描く最大径の円ｄに対し第２の枠体２０の凹状部２１が遮らないように、凹状部２１の形状を略矩形状の凸状部１２に対応した形状から変えたものである。凹状部１１，２１の一部は、同様に、凸状部１２の縁までの距離ａに対し更に距離をｘだけ大きくした距離（ａ＋ｘ）を半径とした円ｄに沿うような形状である円弧部ｅ（円ｄの一部）を有する。
【００６３】
図１０、図１１によれば、凹状部２１は、円ｄの円弧部ｅを有して回動するので、凸状部１２の最も凹状部２１に接近する部分に当たらずに、凹状部２１の回動を妨げない。このため、第１の枠体１０から第２の枠体２０を分離させるとき、凹状部２１が凸状部１２に干渉することがなく、第１の枠体１０に対し第２の枠体２０を持ち上げることができる。このため、両枠体１０，２０を容易に分離でき、凹状部２１と凸状部１２の凹凸嵌合部が損傷することはない。
【００６４】
図９〜図１１では、凹凸嵌合構造を形成する凹状部と凸状部の平面形状を略長円形状、略五角形状、略矩形状としたが、その平面形状は、他の多角形等の他の形状であってもよい。
【００６５】
第４の例は、図１２のように、図９の凸状部１２，２２の形状を凹状部１１，２１の形状に対応するように変えたものである。即ち、凸状部１２，２２は、凹状部１１，２１の円ｄの円弧部ｅに対応した円弧部ｆを有している。
【００６６】
図１２によれば、凹状部２１が凸状部１２に対し円ｄの円弧部ｆに沿って回動するので、凸状部１２が凹状部２１の回動を回動の始めから円弧部ｆの範囲で妨げない。このため、第１の枠体１０から第２の枠体２０を分離させるとき、凹状部２１が凸状部１２に当たらずに干渉することがなく、第１の枠体１０に対し第２の枠体２０を持ち上げることができる。このため、両枠体１０，２０を容易に分離でき、凹状部２１と凸状部１２の凹凸嵌合部が損傷することはない。
【００６７】
また、図１２の凸状部１２と凹状部２１との凹凸嵌合部は、図９の凹凸嵌合部のような隙間（図９のハッチングで示す）が形成されず、枠体１０，２０の凹凸嵌合構造により固定される防水シート９（図１）の接地面積が多くなるので、防水シート９の係止力が高まる。
【００６８】
第５の例は、図２３のように、図９と同様の構成であるが、凸状部１２と凹状部２１との凹凸嵌合部全体に隙間Ｃが形成されるようにしたものである。これにより、分離のとき、互いに干渉せず、分解し易くかつ枠体が損傷し難くなるとともに、防止シート９のはめしろを確保できる。この場合、第１の枠体１０と第２の枠体２０とにおいて凹凸嵌合部が形成されたとき、凸状部１２と凹状部２１の外側面Ｆ１及び内側面Ｆ２において各上下面が当接するように構成されることが好ましい。
【００６９】
図２３において凸状部１２と凹状部２１とによる凹凸嵌合部に防止シート９を挟んだ状態で隙間Ｃが存在しても、図２３の右側部分に形成される浴槽部内に水を入れると、防止シート９が浴槽部側に引っ張られれることで、主に凸状部１２の図２３の左半分側に係止され、防止シート９の固定に特に問題は生じない。
【００７０】
なお、図１０，図１１においても、図１２と同様に、各凸状部１２，２２を各凹状部１１，２１に対応した形状としてもよい。また、図４〜図６，図１０〜図１２においても、図２３と同様に、凹凸嵌合部全体に隙間が形成されるようにしてもよい。
【００７１】
また、図１，図２，図４〜図６，図９〜図１２，図２３では、枠体１０，２０の表面部分に非透水性樹脂によりコーティング処理を施すことが望ましく、かかる非透水性樹脂として例えば、エフレタンＳＨ−４０００（日本合成化学工業株式会社製の商品名）やウルトラタン、スタイロタン（米国フツラコーティング社製の商品名）などがある。
【００７２】
また、枠体１０，２０をスーパーブロー成形による金型同時成形等によりそれらの表面部分を例えばＡＢＳ樹脂などの樹脂材料により一体に形成するようにしてもよい。これにより、内部を発泡樹脂とし表面を樹脂とした枠体を得ることができ、上述のようなコーティング処理が不要となる。
【００７３】
また、発泡樹脂等からなる枠体１０，２０の外面の一部または全面を樹脂ソリッド等からなる嵌め込み部材を嵌め込んで覆うようにしてもよい。嵌め込み部材で覆った部分はコーティング処理が不要となる。嵌め込み部材は、樹脂塗料から形成でき、例えばウレタン系樹脂塗料を、枠体と同形状とした母型に所定厚さにコーティングし、乾燥後に母型から剥がす型抜き成形で簡単に得ることができる。かかるウレタン系樹脂塗料として例えば上述のウルトラタン（商品名）などがある。嵌め込み部材の厚さは、例えば０．５〜１ｍｍ程度にできるが、コーティング量により適宜調整可能である。なお、嵌め込み部材は、押し出し成形や射出成形やブロー成形等により成形金型で樹脂から成形してもよい。
【００７４】
また、発泡樹脂等からなる枠体１０，２０の外面の一部または全面をフィルム部材で覆うようにしてもよい。
【００７５】
以上のように、凹凸嵌合部を含む枠体１０，２０に対し、コーティング処理やＡＢＳ樹脂などによる一体形成や嵌め込み部材の配置やフィルム部材の配置等を行うことで、枠体１０，２０の耐久性を向上できる。その一方、凸状部と凹状部との凹凸嵌合部における弾力性が発泡樹脂のままの場合よりも低下するが、上述の図４〜図６，図９〜図１２，図２３のように、枠体を分解するため回動させるとき、凹凸嵌合部において凹状部と凸状部の当たりによる干渉がなくなるので、弾力性の低下は問題とならない。
【００７６】
〈第４の実施の形態〉
【００７７】
第４の実施の形態は、第１乃至第３の実施の形態における凹凸嵌合部に嵌合を補助する嵌合補助部を設けた構成である。図１３は第４の実施の形態による第１の例を示す図であり、組み立て式簡易浴槽の枠体の凹状部のある外周下面を示す底面図（ａ）、その枠体を破断してみた破断斜視図（ｂ）及び図１３（ａ）の変形例を示す枠体の底面図（ｃ）である。図１４（ａ）、（ｂ）は第４の実施の形態による組み立て式簡易浴槽の嵌合部の第２の例を示す要部断面図である。図１５は第４の実施の形態による組み立て式簡易浴槽の嵌合部の第３の例を示す要部断面図である。図１６は第４の実施の形態による組み立て式簡易浴槽の嵌合部の第４の例を示す要部断面図である。
【００７８】
第４の実施の形態による第１の例は、図１３（ａ）、（ｂ）のように、枠体１０，２０の外周下面の凹状部１１，２１の外側に係止突起部３１を長手方向に断続的に複数箇所に設けている。各係止突起部３１は、凹状部２１に凸状部１２が嵌合するとき、弾性変形して待避し易く嵌合の妨げとならないような形状及び寸法となっており、嵌合後は弾性復元して凸状部１２を係止するとともに、枠体１０，２０の分離のときは、弾性変形して係止を解除し易くなっている。
【００７９】
また、図１３（ｃ）のように、凹状部１１，２１の外側に係止突起部３２及び内側に係止突起部３３を長手方向に断続的に複数箇所に設けるようにしてもよい。この場合、係止突起部３２，３３の長手方向の長さは、図１３（ａ）の係止突起部３１よりも短くてもよい。また、係止突起部３２，３３の長手方向の位置は互いに同じ位置にならないようにずらすことが好ましい。
【００８０】
図１３（ａ）、（ｂ）、図１３（ｃ）の第１の例によれば、係止突起部３１，３２，３３が凹凸嵌合の嵌合補助機能を発揮し、また、係止解除も比較的容易であるので、防水シート９（図１）を凹凸嵌合でより外れ難くでき、また取り外しも容易である。
【００８１】
第２の例は、図１４（ａ）のように、図１２の凹状部１１，２１の外側の縁に爪部３４を長手方向に所定長さで断続的に複数箇所に設け、凸状部１２，２２の形状を爪部３４を設けた凹状部１１，２１に対応させたものである。爪部３４のある凹状部２１に凸状部１２が嵌合するとき、爪部３４が凸状部１２の対応箇所に入り込むようにして係止される。
【００８２】
また、図１４（ｂ）のように、図１２の凹状部１１，２１の内部の外側壁に小突起３５を長手方向に所定長さで断続的に複数箇所設け、凹状部１１，２１の小突起３５に対応する凸状部１２，２２の外側壁部の位置に小突起３５が入り込み可能な凹部３６を設けたものである。小突起３５のある凹状部２１に凸状部１２が嵌合するとき、小突起３５が凸状部１２の凹部３６に入り込むようにして係止される。
【００８３】
図１４（ａ）、図１４（ｂ）の第２の例によれば、爪部３４や小突起３５・凹部３６が凹凸嵌合の嵌合補助機能を発揮し、また、係止解除も比較的容易であるので、防水シート９（図１）を凹凸嵌合でより外れ難くでき、また取り外しも容易である。
【００８４】
また、図１４（ｂ）の第２の例は、図１７のように、凸状部１２，２２側に凹部３６の代わりに小突起４０を設け、凹状部１１，２１側に小突起３５の代わりに凹部３９を設けてもよい。また、小突起４０は、図１８のように、小径の凸部に形成してよく、凸状部１２の長手方向に飛び飛びに設けることができる。または、図１９のように、凸状部１２の長手方向に延びた形状を持つ細長の小突起４１を長手方向に飛び飛びに設けてもよい。
【００８５】
また、第２の例は、図２０のように、図９の構成に嵌合補助機能を付加するようにしてもよい。なお、図１７〜図１９も図９の構成に嵌合補助機能を付加したものである。
【００８６】
第３の例は、図１５のように、簡易浴槽の外周側面に係止バンド５６を配置し、係止バンド５６の一端を第２の枠体２０の凸状部２２の止め部５６ａで固定し、他端を第１の枠体１０の凹状部の止め部５６ｂで固定したものである。かかる係止バンド５６で枠体１０，２０の外周の複数箇所を係止することで、凹凸嵌合の嵌合補助機能を発揮し、また、係止バンド５６の固定を解除することで係止解除も容易であるので、防水シート９（図１）を凹凸嵌合でより外れ難くでき、また取り外しも容易である。
【００８７】
第４の例は、図１６のように、枠体１０，２０の嵌合時に対向する外周面において小片形状の磁石３７，３８を埋め込むようにして配置したものである。磁石３７，３８は外周の複数箇所に互いに対向して吸着し合うように設ける。磁石３７，３８により凹凸嵌合で枠体１０，２０を組み立てたとき互いに吸着することで、凹凸嵌合の嵌合補助機能を発揮し、また、引き離しも比較的容易であり、係止解除も容易であるので、防水シート９（図１）を凹凸嵌合でより外れ難くでき、また取り外しも容易である。なお、図１６では、互いに接近し吸着し合う磁石３７，３８のいずれか一方を強磁性体の鉄等からなる小片としてもよい。
【００８８】
以上のように、第４の実施の形態によれば、特に、凹凸嵌合部の弾力性が低下する場合に、嵌合部に小突起と凹部、爪部、バンド等の係止部や磁石等を配置することで、嵌合補助機能を持たせることができ、凹凸嵌合による固定を強固にかつ係脱自在にできる。これにより、防水シート９（図１）を外れ難くかつ取り外し容易に構成できる。
【００８９】
〈第５の実施の形態〉
【００９０】
第５の実施の形態は、第１乃至第４の実施の形態の簡易浴槽の使用中においてお湯の漏出を遮断するようにした構成である。図２１は第５の実施の形態による組み立て式簡易浴槽の嵌合部の第１の例を示す要部断面図である。図２２は第５の実施の形態による組み立て式簡易浴槽の嵌合部の第２の例を示す要部断面図である。
【００９１】
第１の例は、図２１のように、第１の枠体１０の凸状部１２と第２の枠体２０の凹状部２１とが嵌合したとき、その凹凸嵌合部の内側壁面に空気層４５が形成されるようにしたものである。かかる空気層４５ができるように凸状部１２と凹状部２１の形状を決めるが、この場合、上述の図９乃至図１１と同じように構成することで、かかる空気層４５を嵌合時に形成できる。
【００９２】
第２の例は、図２２のように、第２の枠体２０の凹状部２１の頂上部近傍に凹部４６ａを設けておき、第１の枠体１０の凸状部１２と第２の枠体２０の凹状部２１とが嵌合したとき、その凹凸嵌合部の内に空気層４６が形成されるようにしたものである。なお、凹部４６ａは、凹状部２１の長手方向に連続して設けることが好ましく、また、その位置は頂上部近傍に限定されず、また、複数箇所に設けてもよい。
【００９３】
図２１，図２２によれば、第１の枠体１０の凸状部１２と第２の枠体２０の凹状部２１とを嵌合のため防水シート９を介在させて押し込むと、凸状部１２と凹状部２１との間で圧縮された空気が完全に抜けないため、凹凸嵌合部に形成される空気層４５，４６の内圧が高めになる。このため、簡易浴槽の浴槽部にお湯ｗを満たしたとき、凹凸嵌合部を含む枠体１０と２０との間からお湯ｗが漏出しようとしても、内圧が高めの空気層４５，４６でその漏出を確実に遮断できる。
【００９４】
以上のように本発明を実施するための最良の形態について説明したが、本発明はこれらに限定されるものではなく、本発明の技術的思想の範囲内で各種の変形が可能である。例えば、本実施の形態の簡易浴槽は、介護の必要な被介護者の入浴サービスに用いて好適であるが、この用途に限定されず、簡易に浴槽を設置できることから、各種の用途に用いてよく、例えば、キャンプ場や災害等の非常時においても使用可能である。
【００９５】
また、本発明によれば、簡易浴槽と同様の構造で、特に浴槽としてではなくとも、必要に応じて各種液体を貯蔵できる組み立て式簡易貯液槽を構成でき、その簡易貯液槽を構成可能な簡易貯液槽用枠体を提供できる。
【００９６】
また、本実施の形態において、面取り部１３，２３は、平面状に構成したが、本発明はこれに限定されず、例えば曲面状に構成してもよい。
【図面の簡単な説明】
【００９７】
【図１】第１の実施の形態による組み立て式簡易浴槽を示す斜視図（ａ）、側面図（ｂ）、図１（ａ）、（ｂ）の簡易浴槽の嵌合部を分解して示す要部分解断面図（ｃ）、及び図１（ａ）、（ｂ）の簡易浴槽の端部を示す要部側面図（ｄ）である。
【図２】図１の簡易浴槽を分解するときの嵌合部の様子を示す要部側面図である。
【図３】従来の簡易浴槽を分解するときの嵌合部の様子を示す要部側面図である。
【図４】第２の実施の形態による組み立て式簡易浴槽の嵌合部の第１の例を示す要部断面図である。
【図５】第２の実施の形態による組み立て式簡易浴槽の嵌合部の第２の例を示す要部断面図である。
【図６】第２の実施の形態による組み立て式簡易浴槽の嵌合部の第３の例を示す要部断面図（ａ）及びその変形例を示す要部断面図（ｂ）である。
【図７】図１，図２の簡易浴槽を分解するときの様子を示す側面図である。
【図８】図７の嵌合部を示す要部側面図である。
【図９】第３の実施の形態による組み立て式簡易浴槽の嵌合部の第１の例を示す要部断面図である。
【図１０】第３の実施の形態による組み立て式簡易浴槽の嵌合部の第２の例を示す要部断面図である。
【図１１】第３の実施の形態による組み立て式簡易浴槽の嵌合部の第３の例を示す要部断面図である。
【図１２】第３の実施の形態による組み立て式簡易浴槽の嵌合部の第４の例を示す要部断面図である。
【図１３】第４の実施の形態による第１の例を示す図であり、組み立て式簡易浴槽の枠体の凹状部のある外周下面を示す底面図（ａ）、その枠体を破断してみた破断斜視図（ｂ）及び図１３（ａ）の変形例を示す枠体の底面図（ｃ）である。
【図１４】図１４（ａ）、（ｂ）は第４の実施の形態による組み立て式簡易浴槽の嵌合部の第２の例を示す要部断面図である。
【図１５】第４の実施の形態による組み立て式簡易浴槽の嵌合部の第３の例を示す要部断面図である。
【図１６】第４の実施の形態による組み立て式簡易浴槽の嵌合部の第４の例を示す要部断面図である。
【図１７】第４の実施の形態の第２の例の変形例を示す要部断面図である。
【図１８】図１７の小突起を示す要部側面図である。
【図１９】図１８の小突起の変形例を示す要部側面図である。
【図２０】図１４の変形例を示す要部断面図である。
【図２１】第５の実施の形態による組み立て式簡易浴槽の嵌合部の第１の例を示す要部断面図である。
【図２２】第５の実施の形態による組み立て式簡易浴槽の嵌合部の第２の例を示す要部断面図である。
【図２３】図２３は第３の実施の形態による組み立て式簡易浴槽の嵌合部の第５の例を示す要部断面図である。
【図２４】特開２００３−１０２７８号公報に開示された組み立て式簡易浴槽の斜視図（ａ）、枠体の線Ａ−Ａに沿って切断してみた断面図（ｂ）、別の枠体の線Ｂ−Ｂに沿って切断してみた断面図（ｃ）である。
【符号の説明】
【００９８】
１  簡易浴槽
９  防水シート
１０  第１の枠体
１１  凹状部
１２  凸状部
１３  面取り部
２０  第２の枠体
２１  凹状部
２２  凸状部
２３  面取り部
１３ａ  支点
３１，３２，３３  係止突起部
３４  爪部
３５，４０，４１  小突起
３６，３９  凹部
３７，３８  磁石
５６  係止バンド
４５，４６  空気層
ｃ  支点を中心とし支点に近い側の凹状部の縁までの距離ａを半径とする円
ｄ  支点に近い側の凸状部が支点を中心として相対的に回動するときに描く最大径の円
【図１】
2006061333.tif 000003
【図２】
2006061333.tif 000004
【図３】
2006061333.tif 000005
【図４】
2006061333.tif 000006
【図５】
2006061333.tif 000007
【図６】
2006061333.tif 000008
【図７】
2006061333.tif 000009
【図８】
2006061333.tif 000010
【図９】
2006061333.tif 000011
【図１０】
2006061333.tif 000012
【図１１】
2006061333.tif 000013
【図１２】
2006061333.tif 000014
【図１３】
2006061333.tif 000015
【図１４】
2006061333.tif 000016
【図１５】
2006061333.tif 000017
【図１６】
2006061333.tif 000018
【図１７】
2006061333.tif 000019
【図１８】
2006061333.tif 000020
【図１９】
2006061333.tif 000021
【図２０】
2006061333.tif 000022
【図２１】
2006061333.tif 000023
【図２２】
2006061333.tif 000024
【図２３】
2006061333.tif 000025
【図２４】
2006061333.tif 000026